(57)【要約】【課題】含有汚濁物質量が時間とともに変化する汚濁水から汚濁物質を効果的に除去する。【解決手段】汚濁水を、第１の固液分離手段１、凝集剤添加手段２、第２の固液分離手段３の順に通して、前記汚濁水中の汚濁物質を除去する汚濁水の処理方法であって、少なくとも前記第２の固液分離手段３を、渦流式固液分離装置とするとともに、前記第１の固液分離手段１で処理された被処理水の汚濁度および流量に応じて前記凝集剤添加手段２における凝集剤の添加量を決定することを特徴とする汚濁水の処理方法により解決される。【選択図】図１
2004209306.tif 000002
【特許請求の範囲】
【請求項１】
汚濁水を、夾雑物を除去する第１の固液分離手段、第１の固液分離手段で処理された被処理水に凝集剤を添加して被処理水中の汚濁物質を凝集させる凝集剤添加手段、前記凝集剤添加手段で処理された被処理水を清澄分と固形分とに分離する第２の固液分離手段の順に通して、前記汚濁水中の汚濁物質を除去する汚濁水の処理方法であって、
少なくとも前記第２の固液分離手段が、円筒型水槽内に被処理水を前記水槽の接線方向に沿って送入し、前記水槽内で渦流を発生させて固形分を前記水槽の中央下部に集め、この集めた固形分を水槽外に引抜いて固液分離する渦流式固液分離装置であり、かつ、
前記第１の固液分離手段で処理された被処理水の汚濁度および流量を測定し、この測定値に応じて前記凝集剤添加手段における凝集剤の添加量を決定することを特徴とする汚濁水の処理方法。
【請求項２】
前記渦流式固液分離装置が、円筒型水槽の内部に円筒型スクリーンが縦向きに配置され、この円筒型スクリーン内に被処理水を前記スクリーンの接線方向に沿って送入し、前記スクリーン内で渦流を発生させて清澄分を前記スクリーンを通して槽外に送り出しつつ前記固形分を水槽の中央下部に集め、この集めた固形分を水槽外に引抜くものである請求項１記載の汚濁水の処理方法。
【請求項３】
前記水槽から固形分を間欠的に引抜くとともに、その一回の引抜き量および引抜き頻度を、前記第１の固液分離手段で処理され前記凝集剤添加手段に流入する被処理水の汚濁度および流量の測定値に応じて決定する請求項２記載の汚濁水の処理方法。
【発明の詳細な説明】
【０００１】
【発明の属する技術分野】
本発明は、汚濁水中の汚濁物質を分離除去する汚濁水の処理方法に関し、特に、降雨時に合流式下水道から処理設備に大量に流入する汚濁水の処理方法に関する。
【０００２】
【従来の技術】
下水道には、雨水と汚水とを別の管渠で処理設備へ排水するように構成されている分流式下水道と、同一の管渠で処理設備へ送水する合流式下水道とがある。合流式下水道は管渠が一系統で済み、施工が容易で安価であることから、下水道設備の急速な普及が進んだ明治後期から昭和前期に大都市を中心に自治体に多く採用されており、現在広く普及している。この合流式下水道は雨天時に処理設備に汚水と雨水とが混合した多量の汚濁水が流れ込むことがあり、処理設備ではこのような降雨時には通常の処理経路の他に通常の処理経路の許容量を超えた分の汚濁水を、前記通常の処理経路とは別経路に引き込み未処理もしくは目の粗いスクリーンや沈殿処理等の簡易処理で放流する別の処理経路を用意している。（以下、通常の処理経路の許容量を超えたことにより、他の処理経路に引き込まれる分の汚濁水を越流水という。）
【０００３】
上記のように越流水の処理が簡易処理のみで行われている理由の一つには、越流水は土砂等の大小の固形分を多く含むため濁度の高く、一度に大量に流れ込むため、目を細かいスクリーンでは目詰まりが生じ、また、貯留時間の長い処理では量的に処理しきれなくなるからである。しかし、簡易処理では、細かなプラスチック片や樹枝片等の微細固形物は当然除去できず、これらはそのまま放流される。また、生活下水等に起因する有害物もそのまま放流される。しかしながら、このような微細固形物あるいは有害物などの汚濁物質は、近隣あるいは下流の河川、湖沼、海域等の環境を考慮すれば、除去すべきであり、現実に除去処理が求められている。
【０００４】
そこで近年、越流水等の汚濁水の処理に、円筒型水槽内に被処理水を引き込み、水槽内で渦流を発生させて固形分を水槽の中央下方方向に集めることで固液分離を図る渦流式固液分離装置（スワールともいう）を、利用することが試みられている。また、渦流式固液分離装置に越流水を流入させる前に凝集剤を添加して汚濁物質を凝集させることも行われている。このような渦流式固液分離装置を用いる処理方法は、渦流の利用により固液分離するため、被処理水の流れを妨げずに処理でき、原理的には大量に流入する越流水中の固形物を短時間で除去可能である。
【特許文献】
特表平１０−５０４２２７
特開２００２−１８２１０
【０００５】
【発明が解決しようとする課題】
しかしながら、上述のような渦流式固液分離装置を利用した従来処理方法には、越流水の汚濁度が降雨量や生活廃水の流入具合などにより刻々と変化するにもかかわらず、このような汚濁度や流量の変化に対応する技術がなかった。従って、次記のような弊害が生じている。すなわち、凝集剤を添加しても、ある時点では凝集剤が過度に添加されて添加剤が残存したまま放流されたり、またある時点では十分に汚濁物質の凝集がなされず固形物や有害物質の除去がなされないまま放流されたりするという事態が生じている。また、渦流式固液分離装置は、集めた固形分を水槽外へと除去する必要があるが適当な時間に水槽外へ除去しない場合には、凝集剤の添加により形成されたフロックが渦流により崩壊して微細固形物や有害物質が除去されずに放流されることがある。
【０００６】
そこで、本発明の主たる課題は、先に述べた汚濁度の変化に対応して処理する技術を確立し、越流水のように汚濁度が高い汚濁水から短時間でかつ効果的に汚濁物質の分離除去ができる汚濁水の処理方法を提供することにある。
【０００７】
【課題を解決するための手段】
上記課題を解決した本発明およびその作用効果は次記のとおりである。
＜請求項１記載の発明＞
汚濁水を、夾雑物を除去する第１の固液分離手段、第１の固液分離手段で処理された被処理水に凝集剤を添加して被処理水中の汚濁物質を凝集させる凝集剤添加手段、前記凝集剤添加手段で処理された被処理水を清澄分と固形分とに分離する第２の固液分離手段の順に通して、前記汚濁水中の汚濁物質を除去する汚濁水の処理方法であって、
少なくとも前記第２の固液分離手段が、円筒型水槽内に被処理水を前記水槽の接線方向に沿って送入し、前記水槽内で渦流を発生させて固形分を前記水槽の中央下部に集め、この集めた固形分を水槽外に引抜いて固液分離する渦流式固液分離装置であり、かつ、
前記第１の固液分離手段で処理された被処理水の汚濁度および流量を測定し、この測定値に応じて前記凝集剤添加手段における凝集剤の添加量を決定することを特徴とする汚濁水の処理方法。
【０００８】
＜請求項２記載の発明＞
前記渦流式固液分離装置が、円筒型水槽の内部に円筒型スクリーンが縦向きに配置され、この円筒型スクリーン内に被処理水を前記スクリーンの接線方向に沿って送入し、前記スクリーン内で渦流を発生させて清澄分を前記スクリーンを通して槽外に送り出しつつ前記固形分を水槽の中央下部に集め、この集めた固形分を水槽外に引抜くものである請求項１記載の汚濁水の処理方法。
【０００９】
＜請求項３記載の発明＞
前記水槽から固形分を間欠的に引抜くとともに、その一回の引抜き量および引抜き頻度を、前記第１の固液分離手段で処理され前記凝集剤添加手段に流入する被処理水の汚濁度および流量の測定値に応じて決定する請求項２記載の汚濁水の処理方法。
【００１０】
（作用効果）
第１の固液分離手段で夾雑物の除去を行うことにより、後段の凝集剤添加手段において夾雑物の凝集に必要となる凝集剤や凝集時間が不必要になり、凝集剤の添加量が削減されるとともに汚濁物の凝集効果が高まる。また、夾雑物が除去されることにより、第２の固液分離手段において、夾雑物除去の負担が軽減され、凝集された汚濁物に適した固液分離手段の設計が可能となる。
【００１１】
一方、前記第１の固液分離手段で処理された被処理水の汚濁度および流量を測定し、この測定値に応じて前記凝集剤添加手段における凝集剤の添加量を決定することにより、過度の凝集剤の添加によって生ずるコストが削減され、また、未反応凝集剤が放流されることが防止される。さらに、凝集剤の添加量が少ないために、汚濁物質が除去されないということもなくなる。
【００１２】
他方、少なくとも前記第２の固液分離手段を渦流式固液分離装置とするので、バースクリーンのスクリーン装置では捕捉が困難であった、凝集剤により凝集されてフロックとなった有害物質を好適に除去できる。
【００１３】
ここで、固液分離手段に用いる固液分離装置を、円筒型水槽の内部に円筒型スクリーンが縦向きに配置されているものとして、前記スクリーン内で渦流を発生させると、清澄分がスクリーンを通して槽外に送り出され構成となるため、より短時間で清澄分と固形分の分離がなされる。特に、第２の固液手段に円筒型スクリーンが配置された渦流式固液分装置を用いた場合には、凝集剤の添加により形成されたフロックが崩壊しずらくなり、有害物質等の除去効率が高まる。
【００１４】
他方、渦流式固液分離装置では、ある程度までは時間に応じて固形分が濃縮される。固形分を水槽から間欠的に引抜くこととすると、濃縮された固形分を取り出すことが可能となる。そして、本発明では、その一回の引抜き量および引抜き頻度を、前記第１の固液分離手段で処理され前記凝集剤添加手段に流入する被処理水の汚濁度および流量の測定値に応じて決定することとするので、最も濃縮された時点あるいはそれに近い時点で固形分の引抜きを行うことができる。
【００１５】
してみると、汚濁水の汚濁度や流量が変化しても、その変化に対応した処理が確実になされることとなり、越流水等の汚濁水中の有害物質等を確実に低減することが可能となる。
【００１６】
【発明の実施の形態】
次いで、本発明の実施の形態として越流水の処理方法を例に以下に詳述する。本実施に形態では、図１に示されるように、越流水を、第１の固液分離手段１、凝集剤添加手段２、第２の固液分離手段３の順に通して処理する。そして、少なくとも前記第２の固液分離手段２は、円筒型水槽内に被処理水を前記水槽の接線方向に沿って送入し、前記水槽内で渦流を発生させて固形分を前記水槽の中央下部に集めることで清澄分と固形分と分離し、清澄分を水槽外に送りだすとともに、集めた固形分を水槽下部に設けられた引抜き弁の開閉およびポンプ手段により水槽外に引抜いて固液分離する渦流式固液分離装置（スワールとも言われる）とする。もちろん、第１の固液分離手段として渦流式固液分離装置を用いてもよい。
【００１７】
以下、第１の固液分離手段、凝集剤添加手段、第２の固液分離手段に分けてさらに詳述する。
（第１の固液分離手段について）
前記第１の固液分離手段１では、越流水に含まれる夾雑物、例えばプラスチック片や樹枝片等、砂利等の粗い固形物の分離除去を行う。越流水を第１の固液分離手段１に導く方法は特に限定されない。従来既知のポンプ手段を用い導いてもよいし、処理設備の配管や管渠に傾斜を設けるなどして自然流下により導くこともできる。
【００１８】
第１の固液分離手段１としては、夾雑物の除去が可能な固液分離装置であれば、特に限定されないが、越流水は年間６０回程度の発生回数であり、しかも、天候という不定期に発生するものであることから、メンテナンスコスト等の維持費用の少ない固液分離装置が好適である。かかる好適な分離装置の例としては、渦流式固液分離装置やバースクリーン等が挙げられる。渦流式固液分離装置は、バースクリーンよりも、小さい夾雑物、例えば砂利や土砂等もある程度まで除去することができるのでより望ましい。
【００１９】
第１の固液分離手段１に渦流式固液分離装置を用いる場合には、集めた固形分を円筒型水槽外へ効率よく引抜くのがよい。渦流式固液分離装置では、固形分の引抜きは、水槽下部に設けられている引抜き弁の開閉やこれに接続する吸引ポンプの運転により行われる。また、渦流式固液分離装置ではある程度の時間、被処理水を円筒型水槽内で旋回時間に応じて中央下部に固形分が集まってくる。固形分の集まり具合は、濁度が高ければ、早く固形分が集まるし、流量が多くても固形分は早く集まる。このため、固液分離手段に流入する越流水の濁度および流量から把握できる。従って、第１の固液分離手段１に越流水を導く管渠や配管の途中に従来既知の濁度計および流量計を設け、濁度および流量を測定し、この測定値に応じて、引抜きの頻度（単位時間あたりの開閉弁の開き回数）や１回の引抜き量（１回あたりの開閉弁の開き時間および吸引ポンプの吸引能力により定まる固形分の引抜き量）を制御すれば、効率よく固形分を引抜くことができる。具体的には、図３に示されるように、濁度の測定値と流量の測定値との乗算値を算出して判断値とし、この判断値に応じて開閉弁および吸引ポンプの運転を制御する。制御は、例えば、一回の引抜き弁の開き時間をＸ秒に設定して、上記判断値が８０００以上であれば、引抜き弁を３０分に３回開くとともに吸引ポンプを作動させ、６０００〜８０００であれば、引抜き弁を４０分に３回開くとともに吸引ポンプを作動させ、４０００〜６０００であれば、引抜き弁を５４分に３回開くとともに吸引ポンプを作動させ、２０００〜４０００であれば、引抜き弁を６０分に２回開くとともに吸引ポンプを作動させ、２０００未満であれば、引抜き弁を１８０分に２回開くとともに吸引ポンプを作動させるように行う。もちろん、上記数値は、あくまでも例であり、実際の具体的な判断値とそれに対応する引抜き頻度は、用いる吸引ポンプの吸引能力、渦流式固液分離装置の処理量等により適宜変更する。このように乗算値（判断値）に応じた段階的な引抜き頻度の制御を行えば、第１の固液分離手段に流入する越流水の固形物量や流量が変化しても、その変化に応じた最適な夾雑物の除去がなされる。
【００２０】
（凝集剤添加手段について）
上記のように第１の固液分離手段１において、越流水中の夾雑物を除去処理したならば、次いで、凝集剤添加手段２に導き凝集剤を添加して越流水中の汚濁物質や第１の固液分離手段１で除去できなかった微細な固形物等を凝集させてフロックを形成する。凝集剤添加手段２へ被処理水を導く方法は特に限定されない。従来既知のポンプ手段等を用いて導けばよい。
【００２１】
凝集剤添加手段２としては、薬注ポンプ２０および凝集槽２１で構成される凝集剤添加設備等を用いることができる。その他、凝集槽に代えて急速混和水槽を用いた凝集剤添加設備や凝集槽に加えてフロック形成槽を設けた凝集剤添加設備やスタティックミキサー等の従来既知の凝集剤添加設備あるいは添加装置を用いることができる。
【００２２】
凝集剤の種類は、無機凝集剤、高分子凝集剤等の従来既知の凝集剤のなかから適宜選択することができる。具体例としては、ＰＡＣ、硫酸バンド、ポリ鉄、硫酸第一鉄、塩化第２鉄、カチオン系ポリマー、両性ポリマー、アニオン系ポリマーなどが挙げられる。これらは単体であるいは複数組み合わせて使用してもよい。第２の固液分離手段２が渦流式固液分離装置であることを考慮すると、ＰＡＣ、カチオン系ポリマー、が特に好適である。
【００２３】
凝集剤の添加量は、前記第１の固液分離手段で処理された被処理水の濁度、ＣＯＤ、ＢＯＤ，ＴＯＣ、ＴＯＤ等の汚濁度および凝集剤添加手段に流入する被処理水の流量から決定する。流量および汚濁度の測定は、図１に示すように凝集剤添加手段２に被処理水を導く管渠や配管の途中に従来既知の流量計４と、濁度計、ＣＯＤ計、ＢＯＤ計、ＴＯＣ計、ＴＯＤ計等の汚濁度計５とを設けて測定すればよい。なお、汚濁度は、ここに掲げたすべての測定項目について測定しなければならないわけではなく、上記に掲げる測定項目のなかから少なくとも一つ以上測定すればよい。また、測定技術や測定装置は従来既知の技術によることができる。
【００２４】
凝集剤の添加量制御は、例えば、薬注ポンプを用いて凝集剤を凝集槽に添加するように構成されている凝集剤添加手段であれば、薬注ポンプの吐出量を変化させる制御したり、薬注ポンプから凝集槽へ凝集剤を送る送り管の途中に弁を設け、この弁の開き具合を制御することにより行うことができる。制御は、例えば、第１の固液分離手段で夾雑物除去がなされた処理水を凝集槽に導く管渠の途中に測定装置を設けて、流れ込む流量と汚濁度との乗算値を演算する。演算値は、流量の測定値と濁度の測定値との演算値、流量の測定値とＣＯＤ値との演算値、流量の測定値と濁度の測定値とＣＯＤ値との測定値など、適宜選択することができる。そしてかかる演算値に応じて薬注ポンプの吐出量等を連続的あるいは段階的に変化させる制御をする。実際の具体的な判断値とそれに対応する薬注ポンプの吐出量との関係は、用いる凝集槽の容量等により適宜変更する。このように乗算値（判断値）に応じた添加剤の添加量制御を行えば、越流水の固形物量や流量が変化しても、その変化に応じた最適な凝集剤添加量とすることができ、過度の凝集剤添加がされる、あるいは、凝集剤の添加量が少ないために汚濁物質が凝集されないという事態がなくなる。
【００２５】
（第２の固液分離手段について）
凝集剤添加手段２で凝集剤を添加し、汚濁物質等を凝集させてフロック形成したならば、次いで、かかる第２の固液分離手段３に導き、凝集剤添加手段２において凝集させた凝集物および被処理水中に残存する固形物の分離除去を行う。本発明においては、この第２の固液分離手段２は渦流式固液分離装置を用いる。渦流式固液分離装置は、上述の円筒型水槽内に被処理水を前記水槽の接線方向に沿って送入し、前記水槽内で渦流を発生させて固形分を前記水槽の中央下部に集め、この集めた固形分を水槽外に引抜いて固液分離するものが使用できる。より好適には、渦流式固液分離装置は、図３および図４に示されるように、円筒型水槽３０の内部に円筒型スクリーン３１が縦向きに配置され、この円筒型スクリーン３１内に被処理水を前記スクリーン３１の接線方向に沿って送入するタイプのものとする。この図３および図４に示される渦流式固液分離装置は、前記スクリーン３１内で渦流を発生させて清澄分を前記スクリーン３１を通して槽外に送り出しつつ前記固形分を水槽の中央下部３０Ｄに集め、この集めた固形分を水槽外に引抜く。従って、凝集剤の添加によって形成されたフロックが崩壊しずらく、固形分が集まるまでの時間が早いという利点がある。このような円筒型スクリーン３１を配置した渦流式固液分離装置を用いるならば、円筒型スクリーンを図５に示すように、スクリーン３１の目が、スクリーン３１の内外方向で所定の角度を有するように設けられ、その目の円筒内側開口部Ｍｉがスクリーン３１の内側Ｓｉの渦流Ｆiの流れ方向に逆らわない方向に向いており、円筒外側開口部Ｍｏはスクリーン３１の内側Ｓｉの渦流Ｆiの流れ方向と反対の流れを生じさせるように向いているスクリーン３１とするのが望ましい。さらには、図示例のように、スクリーン３１の渦流Ｆiに逆らうように向かっている面Ａが円弧面に形成されているのが望ましい。かかるスクリーン３１は、スクリーン３１の外側Ｓｏに、内側Ｓｉに生ずる渦流Ｆiと、流れ方向が反対の流れＦoが生じ、清澄水を効果的に槽外に送り出すことができるとともに、特に繊維状固形物がスクリーンに付着しずらく、さらにフロックの崩壊防止性にも優れる。
【００２６】
固形分の引抜き抜きについて、水槽下部に設けられている引抜き弁の開閉やこれに接続する吸引ポンプの運転により間欠的に行うのが望ましいことは、先の（第１の固液手段について）の欄で述べたのとおりであり、第２の固液分離手段においてもこのようにするのが望ましい。第２の固液分離手段における固形分の引抜きについて特徴的なところは、第２の固液分離手段では、引抜き頻度等は、固液分離手段に流入する越流水の濁度および流量の測定値に応じて決定するのではなく、その前段の凝集剤添加手段に流入する汚濁度および流量により決定するのが望ましいということである。これは、凝集剤添加手段を経た後であると、清澄分とフロックとの混合液となっているため正確な濁度の測定が難しいことや、凝集されていない有害物質等は渦流式固液分離装置では分離除去できないため測定してもこの測定値に応じた処理を行うことができない等が理由である。反対に、凝集剤添加手段に流入する被処理水の流量および汚濁度等に応じても凝集剤の添加量との兼ね合いで概ね固形分化されるフロック量が把握できるため、これに基づいて引抜き量を決定することがようにしたほうが効果的な引抜きができる。また、測定装置等を凝集剤の添加量の決定に用いているものを用いれば、第２の固液分離手段における引抜き頻度等を決定するために別途、測定計を設ける必要がなくコスト削減にもなる。また、かかるフロック化の把握が可能であることから、濁度のみならずＴＯＣやＣＯＤに基づく制御も行えるようになる。
【００２７】
制御の具体例を、前記凝集剤手段の薬注ポンプの制御と合わせて図６に示す。まず、凝集剤添加手段でも述べたように流量と汚濁度との乗算値を演算する。そして、この乗算値を判断値とし、この判断値に応じて、薬注ポンプの吐出量と引抜き弁の開閉を制御する。制御は、例えば、一回の引抜き弁の開き時間をＸ秒に設定して、上記判断値が８０００以上であれば、薬注ポンプの吐出量を１００％にするとともに、引抜き弁を３０分に３回開くとともに吸引ポンプを作動させ、上記判断値が６０００〜８０００であれば、薬注ポンプの吐出量を８０％にするとともに、引抜き弁を４０分に３回開くとともに吸引ポンプを作動させ、上記判断値が４０００〜６０００であれば、薬注ポンプの吐出量を６０％にするとともに、引抜き弁を５４分に３回開くとともに吸引ポンプを作動させ、上記判断値が２０００〜４０００であれば、薬注ポンプの吐出量を４０％にするとともに、引抜き弁を６０分に２回開くとともに吸引ポンプを作動させ、上記判断値が２０００未満であれば、薬注ポンプの吐出量を２０％にするとともに、引抜き弁を１８０分に２回開くとともに吸引ポンプを作動させる。数値は例であり、実際の具体的な判断値とそれに対応する引抜き回数は、用いる吸引ポンプの吸引能力、渦流式固液分離装置の処理量等により適宜変更する。このように乗算値（判断値）に応じて薬注ポンプの吐出量と引抜き弁の制御を行えば、越流水中の汚濁物質の変化、さらには第１の固液分離手段後の夾雑物除去率等の変化があっても、第２の固液分離手段においては、その影響を受けずに被処理水の汚濁物質の分離除去が好適に行われる。
【００２８】
（その他）
以上の各処理を経て、分離された清澄水は、従来と同様の処理系外に放流するか、あるいは、必要に応じて放流せずにその他の処理設備に送り、他の処理を施し、その後に放流する。一方、回収した固形分については、汚泥として脱水等の処理を行うなど従来技術に従って処理する。
【００２９】
なお、上記実施の形態は、降雨時における合流式下水道からの越流水の処理を例に述べたが、本発明の処理方法に処理対象は、越流水のみに限定されるわけではなく、分流式下水道から下水処理設備に送られる下水、雨水、あるいは河川水や産業廃水等、汚濁物質を含み時間や状況とともにその汚濁度が変化する汚濁水全般を対象とする。
【００３０】
【発明の効果】
以上詳述のとおり、本発明によれば、越流水のように、その流量や汚濁度が刻々と変化するような汚濁水を、短時間でかつ効果的に処理できる処理方法が提供される。
【図面の簡単な説明】
【図１】本実施の形態にかかる越流水の処理方法の概略を示すフロー図である。
【図２】第１の渦流式固液分離装置における、越流水の濁度および流量と引抜き頻度との関係の例を示す図である。
【図３】渦流式固液分離装置の概略を示す斜視図である。
【図４】その渦流式固液分離装置の概略を示す断面図である。
【図５】そのスクリーンの一部拡大断面図である。
【図６】第２の渦流式固液分離装置における、越流水の濁度および流量と引抜き頻度との関係の例を示す図である。
【符号の説明】
１…第１の固液分離手段、２…凝集剤添加手段、３…第２の固液分離手段、４…流量計、５…汚濁度計、２０…凝集剤添加装置、２１…凝集槽、３０…円筒型水槽、３１…円筒型スクリーン、Ｆｉ…円筒型スクリーン内側の渦流、Ｆｏ…円筒型スクリーン外側の渦流、Ｓｉ…円筒型スクリーンの内側、Ｓｏ…円筒型スクリーンの外側、Ｍｏ…円筒外側開口部、Ｍｉ…円筒内側開口部。
【図１】
2004209306.tif 000003
【図２】
2004209306.tif 000004
【図３】
2004209306.tif 000005
【図４】
2004209306.tif 000006
【図５】
2004209306.tif 000007
【図６】
2004209306.tif 000008